(57)【特許請求の範囲】
【請求項１】
複数又は単数の映像・音声データと、当該各映像・音声データをそれぞれ識別するフアイルデータとを記録媒体に記録すると共に、上記フアイルデータを指定することにより当該指定された上記フアイルデータに対応する上記映像・音声データを上記記録媒体から再生する一方、当該記録媒体から上記フアイルデータが削除された際に当該削除されたフアイルデータに対応する上記映像・音声データを復元する映像・音声復元装置において、
上記記録媒体に記録された各上記映像・音声データを再生する再生手段と、
上記再生手段により再生された上記映像・音声データを視覚的及び又は聴覚的に認識させる視聴手段と、
上記試聴手段により認識させた上記映像・音声データの中で、所望の当該映像・音声データの始点及び終点を入力させるために用いられる入力手段と、
上記記録媒体の上記フアイルデータに対応する上記映像・音声データが記録されている第１の記録領域以外の第２の記録領域を上記再生手段によつて再生させ、上記第２の記録領域の再生時に上記入力手段を介して、上記削除されたフアイルデータに対応する上記映像・音声データの始点及び終点が指定されたときに、上記始点から上記終点までの映像・音声データを上記削除されたフアイルデータに対応する上記映像・音声データの復元データとして当該復元データを識別する新たなフアイルデータを生成し、当該新たなフアイルデータを上記記録媒体に記録する制御手段と
を具えることを特徴とする映像・音声復元装置。
【請求項２】
上記再生手段は、
上記記録媒体に記録された上記映像・音声データを標準再生速度よりも速い速度又は遅い速度で再生する
ことを特徴とする請求項１に記載の映像・音声復元装置。
【請求項３】
上記フアイルデータは、
少なくとも、フアイル名、上記映像・音声データの記録終了時間、記録された上記映像・音声データの先頭の論理アドレス、上記映像・音声データのサイズ及び上記映像・音声データの先頭に付加されているタイムコードからなる
ことを特徴とする請求項１に記載の映像・音声復元装置。
【請求項４】
複数又は単数の映像・音声データと、当該各映像・音声データをそれぞれ識別するフアイルデータとを記録媒体に記録すると共に、上記フアイルデータを指定することにより当該指定された上記フアイルデータに対応する上記映像・音声データを上記記録媒体から再生する一方、当該記録媒体から上記フアイルデータが削除された際に当該削除されたフアイルデータに対応する上記映像・音声データを復元する映像・音声復元方法において、
上記記録媒体の上記フアイルデータに対応する上記映像・音声データが記録されている第１の記録領域以外の第２の記録領域を再生して、当該第２の記録領域から再生した上記映像・音声データを視覚的及び又は聴覚的に認識させる第１のステツプと、
上記第２の記録領域の再生により上記認識させた上記映像・音声データの中で、上記削除されたフアイルデータに対応する上記映像・音声データの始点及び終点が指定されたときに、上記始点から上記終点までの映像・音声データを上記削除されたフアイルデータに対応する上記映像・音声データの復元データとして当該復元データを識別する新たなフアイルデータを生成し、当該新たなフアイルデータを上記記録媒体に記録する第２のステツプと
を具えることを特徴とする映像・音声復元方法。
【請求項５】
上記第１のステツプでは、
上記記録媒体に記録された上記映像・音声データを標準再生速度よりも速い速度又は遅い速度で再生する
ことを特徴とする請求項４に記載の映像・音声復元方法。
【請求項６】
上記第２のステツプでは、
上記フアイルデータを少なくともフアイル名、上記映像・音声データの記録終了時間、記録された上記映像・音声データの先頭の論理アドレス、上記映像・音声データのサイズ及び上記映像・音声データの先頭に付加されているタイムコードから生成する
ことを特徴とする請求項４に記載の映像・音声復元方法。
【発明の詳細な説明】
【０００１】
【目次】
以下の順序で本発明を説明する。
発明の属する技術分野
従来の技術
発明が解決しようとする課題
課題を解決するための手段（図１〜図６）
発明の実施の形態（図１〜図６）
発明の効果
【０００２】
【発明の属する技術分野】
本発明は映像・音声復元装置及び映像・音声復元方法に関し、例えばハードデイスクに映像データ及び又は音声データ（以下、これをＡＶデータと呼ぶ）と、これを識別するフアイルデータとを記録し、ハードデイスクからフアイルデータが削除された際にこれに対応するＡＶデータを復元する復元装置及び復元方法に適用して好適なものである。
【０００３】
【従来の技術】
従来、この種の復元装置においては、記録対象のＡＶデータをハードデイスクに設けられたＡＶデータ記録領域に記録すると共に、当該記録対象のＡＶデータが記録された領域（以下、これを第１の記録領域と呼ぶ）のアドレス情報等から生成された当該記録対象のＡＶデータを識別するフアイルデータを当該ハードデイスクに設けられたフアイルデータ記録領域に記録するようになされている。
またこの復元装置においては、ハードデイスクのＡＶデータ記録領域から所望のＡＶデータを再生する場合には、ハードデイスクのフアイルデータ記録領域に記録されている対応するフアイルデータを指定することにより当該所望のＡＶデータを再生し得るようになされている。
【０００４】
ここでこの復元装置においては、ハードデイスクに記録したＡＶデータを削除する場合、この削除対象のＡＶデータをハードデイスクのＡＶデータ記録領域に記録したままの状態でこれに対応するフアイルデータのみを当該ハードデイスクのフアイルデータ記録領域から削除する。従つてこの復元装置においては、削除対象のＡＶデータを再生しようとしてもこれを指定するフアイルデータが削除されていることにより当該削除対象のＡＶデータが再生できずに削除されたことになる。
【０００５】
ところでこの復元装置においては、削除対象のＡＶデータに対応するフアイルデータをハードデイスクのフアイルデータ記録領域から削除するとき、当該フアイルデータを復元装置が有する他の記録媒体に記録するようになされている。これによりこの復元装置においては、例えばＡＶデータを誤つて削除した場合や、当該ＡＶデータを削除した後にこれを復元しなければならない要望がある場合には、上述した他の記録媒体から対応するフアイルデータを読み出してハードデイスクのフアイルデータ記録領域に記録し、当該フアイルデータを指定することにより再び削除対象のＡＶデータを再生し得るようになされている。
【０００６】
【発明が解決しようとする課題】
ところでこのような復元装置においては、ハードデイスクのフアイルデータ記録領域から削除対象のＡＶデータに対応するフアイルデータを削除すると、当該ハードデイスクのＡＶデータ記録領域における削除対象のＡＶデータの第１の記録領域が新たなＡＶデータが記録される領域（以下、これを第２の記録領域と呼ぶ）となり、この一部分又は全てに新たなＡＶデータが記録される（上書きされる）場合がある。
ところがこのような復元装置において上述したような場合には、通常、削除したフアイルデータを復元させようとすると、これに対応する削除対象のＡＶデータの一部分又は全てが新たなＡＶデータに書き換えられていることにより、当該削除対象のＡＶデータにエラーが生じていると判断するようになされており、フアイルデータを復元し難い問題があつた。
【０００７】
ところでこのようにＡＶデータにエラーが生じていると判断されても、当該ＡＶデータの一部分がハードデイスクのＡＶデータ記録領域に記録されている場合には、このＡＶデータの一部分を対応するフアイルデータ（一度削除されたフアイルデータ）と共に何らかの方法によつて復元することが考えられる。ところがこのような場合復元装置においては、通常、装置内部においてその復元作業を実行することにより、エラーが生じていると判断されたＡＶデータがどの程度復元されるかは、この復元作業が終了するまで確認し難く、当該ＡＶデータの復元状態は復元装置に頼らざる得ない問題があつた。
【０００８】
本発明は以上の点を考慮してなされたもので、削除されたフアイルデータに対応する映像・音声データを確実に復元し得る映像・音声復元装置及び映像・音声復元方法を提案しようとするものである。
【０００９】
【課題を解決するための手段】
かかる課題を解決するため本発明においては、映像・音声復元装置において、記録媒体に記録された各映像・音声データを再生する再生手段と、当該再生手段により再生された映像・音声データを視覚的及び又は聴覚的に認識させる視聴手段と、当該試聴手段により認識させた映像・音声データの中で、所望の当該映像・音声データの始点及び終点を入力させるために用いられる入力手段と、記録媒体のフアイルデータに対応する映像・音声データが記録されている第１の記録領域以外の第２の記録領域を再生手段によつて再生させ、当該第２の記録領域の再生時に入力手段を介して、削除されたフアイルデータに対応する映像・音声データの始点及び終点が指定されたときに、当該始点から終点までの映像・音声データを削除されたフアイルデータに対応する映像・音声データの復元データとして当該復元データを識別する新たなフアイルデータを生成し、当該新たなフアイルデータを記録媒体に記録する制御手段とを設けるようにする。
【００１０】
また本発明においては、映像・音声復元方法において、記録媒体のフアイルデータに対応する映像・音声データが記録されている第１の記録領域以外の第２の記録領域を再生して、当該第２の記録領域から再生した映像・音声データを視覚的及び又は聴覚的に認識させる第１のステツプと、第２の記録領域の再生により認識させた映像・音声データの中で、削除されたフアイルデータに対応する映像・音声データの始点及び終点が指定されたときに、当該始点から終点までの映像・音声データを削除されたフアイルデータに対応する映像・音声データの復元データとして当該復元データを識別する新たなフアイルデータを生成し、当該新たなフアイルデータを記録媒体に記録する第２のステツプとを設けるようにする。
【００１１】
従つて本発明では、記録媒体のフアイルデータに対応する映像・音声データが記録されている第１の記録領域以外の第２の記録領域を再生手段によつて再生させ、次いで第２の記録領域の再生時に入力手段を介して、削除されたフアイルデータに対応する映像・音声データの始点及び終点が指定されたときに、当該始点から終点までの映像・音声データを削除されたフアイルデータに対応する映像・音声データの復元データとしてこれを識別する新たなフアイルデータを生成し、これを記録媒体に記録するようにしたことにより、復元対象の映像・音声データの内容を実際にユーザに視聴させて確認させたうえで当該ユーザに復元対象の映像・音声データの始点と終点とを指定させることができる。
【００１２】
【発明の実施の形態】
以下図面について、本発明の一実施例を詳述する。
【００１３】
図１において、１は全体として復元装置を示し、システムコントローラ２が装置全体を制御することによりＡＶデータＤ１を記録及び再生並びに復元し得るようになされている。
ここでまずＡＶデータＤ１を記録する記録時、ユーザがコントロールパネル４を操作して記録モードを指定することにより、当該コントロールパネル４は記録モード信号Ｓ１をシステムコントローラ２に送出する。
【００１４】
システムコントローラ２は、入力された記録モード信号Ｓ１に基づいて装置全体を制御して外部から記録対象の映像及び又は音声に対応する映像信号及び又は音声信号（以下、これらをＡＶ信号と呼ぶ）Ｓ２をエンコーダ５に供給する。これに加えてシステムコントローラ２は、その内部にタイムコード発生器（図示せず）を有し、当該タイムコード発生器が発生したタイムコード（例えば24時間周期に相当する時間情報）をタイムコード信号Ｓ３としてエンコーダ５に送出する。
【００１５】
エンコーダ５は、入力されたＡＶ信号Ｓ２にタイムコード信号Ｓ３が表すタイムコードを付加してデイジタル化し、これを符号化することによりＡＶデータＤ１を生成してフオーマツト変換器６に送出する。
またこの場合システムコントローラ２は、記録制御信号Ｓ５を第１の内部バス７を介してＣＰＵ（Central Proccessor Unit ）８に送出することにより当該ＣＰＵ８を制御し、ＣＰＵ８はデータフオーマツト変換制御信号Ｓ６を第２の内部バス９を介してフオーマツト変換器６に送出する。
【００１６】
これによりフオーマツト変換器６は、データフオーマツト変換制御信号Ｓ６に基づいてＡＶデータＤ１をハードデイスク１５のセクタのデータ量に相当する単位毎に順次パケツト化するようにして当該ハードデイスク１５に対する記録用フオーマツトに変換してバツフアメモリ１６に送出する。なおこのフオーマツト変換器６は、ＡＶデータＤ１をパケツト化する際に当該ＡＶデータＤ１の先頭位置と最後尾位置とにそれぞれ付加されているタイムコードを抽出し、これをタイムコード情報信号Ｓ７として第２の内部バス９を介してＣＰＵ８に送出する。
【００１７】
ここでＣＰＵ８は、バツフアメモリ制御器１７を制御するバツフア制御信号Ｓ８を第２の内部バス９を介して当該バツフアメモリ制御器１７に送出し、このバツフアメモリ制御器１７は、入力されたバツフア制御信号Ｓ８に基づいて制御され、かくしてバツフアメモリ１６におけるＡＶデータＤ１の格納及び送出を制御するバツフアメモリ制御信号Ｓ１０をこのバツフアメモリ１６に送出する。
これによりバツフアメモリ１６は、入力されたバツフアメモリ制御信号Ｓ１０に基づいてＡＶデータＤ１をパケツト単位毎に順次格納すると共に、当該格納したＡＶデータＤ１を所定のタイミングによりパケツト単位毎に順次第１のＤＭＡ（Direct Memory Access）バス２０、ＳＣＳＩ（Small Computer System Interface ）制御器２１及び第２のＤＭＡバス２２を順次介してハードデイスク１５に送出する。
【００１８】
またＣＰＵ８は、ハードデイスク１５においてＡＶデータＤ１をパケツト単位毎にそれぞれ記録するセクタの論理アドレス（LBA:Logical Block Addrress）を論理アドレス信号Ｓ１２として第２の内部バス９、ＳＣＳＩ制御器２１及び第２のＤＭＡバス２２を順次介してハードデイスク１５に送出する。これによりＣＰＵ８は、ＡＶデータＤ１をパケツト単位毎にハードデイスク１５のそれぞれ対応する（論理アドレスに応じた）セクタに順次記録し得るようになされている。
【００１９】
このときシステムコントローラ２には、コントロールパネル４からユーザによつて指定された、ＡＶデータＤ１に対応するフアイル名がフアイル名情報信号Ｓ１４として入力されると共に、ＣＰＵ８からタイムコード情報信号Ｓ７が第１の内部バス７を介して入力され、これにより当該システムコントローラ２はハードデイスク１５に記録されるＡＶデータＤ１のフアイル名と、当該ＡＶデータＤ１の先頭位置及び最後尾位置にそれぞれ付加されているタイムコードとを、内部に設けられた所定の記録媒体（図示せず）に記録するようになされている。
またこのシステムコントローラ２は入力されたフアイル名情報信号Ｓ１４を第１の内部バス７を介してＣＰＵ８に送出する。
【００２０】
これによりＣＰＵ８は、フアイル名情報信号Ｓ１４、タイムコード情報信号Ｓ７及び論理アドレス信号Ｓ１２等に基づいてＡＶデータＤ１を識別するフアイルデータＤ２を生成する。因みにこのフアイルデータＤ２は、ＡＶデータＤ１に対応するフアイル名、ＡＶデータＤ１の記録終了時間、ＡＶデータＤ１の第１の記録領域の先頭の論理アドレス（すなわち、レコードエントリ情報）、ＡＶデータＤ１のサイズ（ＡＶデータＤ１の記録に要したセクタ数）及びＡＶデータＤ１の先頭位置に付加されているタイムコード等から構成されている。
【００２１】
かくしてＣＰＵ８は、このようにして生成したフアイルデータＤ２をＣＰＵバス２５、ＲＡＭ（Random Access Memory）２６、ＳＣＳＩ制御器２１及び第２のＤＭＡバス２２を順次介してハードデイスク１５に送出し、当該フアイルデータＤ２をハードデイスク１５に記録し得るようになされている。
従つてこの復元装置１においては、ＡＶデータＤ１を記録する記録時、上述した一連の動作を順次繰り返すようにしてハードデイスク１５に複数のＡＶデータＤ１及びこれを識別する複数のフアイルデータＤ２を記録し得るようになされている。
【００２２】
因みに図２に示すように、ハードデイスク１５は、円盤形状に形成されて所定のケース２７内に収納されており、当該ハードデイスク１５の最外周に沿つて例えばフアイルデータ記録領域１５Ａが設けられていると共に、当該フアイルデータ記録領域１５Ａの内側にＡＶデータ記録領域１５Ｂが設けられている。かくしてこのハードデイスク１５は、フアイルデータ記録領域１５Ａに複数のフアイルデータＤ２を記録し得ると共に、ＡＶデータ記録領域１５Ｂに複数のＡＶデータＤ１を記録し得るようになされている。また図３（Ａ）及び（Ｂ）に示すように、このハードデイスク１５のＡＶデータ記録領域１５Ｂは、ＡＶデータＤ１が記録されるまでは全領域がＡＶデータＤ１を記録し得る第２の記録領域ＦＳとなり（図３（Ａ））、実際にＡＶデータＤ１が記録された場合には例えば複数のＡＶデータＤ１の第１の記録領域ＲＥ１、ＲＥ２及びＲＥ３と、第２の記録領域ＦＳ１、ＦＳ２及びＦＳ３とが交互に位置するようになされている。
【００２３】
一方図１に示す復元装置１では、ＡＶデータＤ１を再生する再生時、ユーザがコントロールパネル４を操作して再生モードを指定することにより、当該コントロールパネル４は再生モード信号Ｓ２０をシステムコントローラ２に送出する。システムコントローラ２は、入力された再生モード信号Ｓ２０に基づいてフアイルデータ読出し制御信号Ｓ２１を第１の内部バス７を介してＣＰＵ８に送出し、当該ＣＰＵ８は入力されたフアイルデータ読出し制御信号Ｓ２１に基づいてハードデイスク１５を制御して当該ハードデイスク１５からこれに記録されている全てのフアイルデータＤ２を第２のＤＭＡバス２２、ＳＣＳＩ制御器２１を順次介してＲＡＭ２６に読み出す。
【００２４】
この状態においてユーザがコントロールパネル４を操作するようにして所望のＡＶデータＤ１（すなわち所望の映像及び又は音声）に対応するフアイル名を指定することにより、当該コントロールパネル４はフアイル名指定信号Ｓ２５をシステムコントローラ２に送出する。
システムコントローラ２は、入力されたフアイル名指定信号Ｓ２５に基づいて、当該システムコントローラ２内部の記録媒体から対応するタイムコードを読み出すと共に、フアイル名指定信号Ｓ２５を第１の内部バス７を介してＣＰＵ８に送出する。
ＣＰＵ８は入力されたフアイル名指定信号Ｓ２５に基づいて検索信号Ｓ２７をＲＡＭ２６に送出する。これによりＣＰＵ８は、ＲＡＭ２６内に格納されている複数のフアイルデータＤ２のそれぞれフアイル名を検索し、ユーザが指定したフアイル名を有するフアイルデータＤ２を読み出す。
【００２５】
ここでユーザは、再びコントロールパネル４を操作するようにして、所望のＡＶデータＤ１に対する再生開始時間（ＡＶデータＤ１の先頭から再生を開始するまでの時間）を指定する。コントロールパネル４は、指定された再生開始時間を表す再生開始信号Ｓ３０をシステムコントローラ２に送出する。
システムコントローラ２は、所望のＡＶデータＤ１の先頭位置及び最後尾位置のそれぞれタイムコードに基づいて、再生時間信号Ｓ３０が表す再生開始時間に対応するＡＶデータＤ１のタイムコードを選定し、当該選定したタイムコードをタイムコード信号Ｓ３１として第１の内部バス７を介してＣＰＵ８に送出する。
【００２６】
ＣＰＵ８は、入力されたタイムコード信号Ｓ３１が表すタイムコード（再生を開始するタイムコード）と、フアイルデータＤ２が表すＡＶデータＤ１の記録領域の先頭の論理アドレスとに基づいて、当該タイムコードに対応するＡＶデータＤ１の再生を開始する論理アドレスを計算し、この結果得られる論理アドレスと、この後当該ＡＶデータＤ１の最後尾までのパケツト単位毎の論理アドレスとを論理アドレス信号Ｓ３４として第２の内部バス９、ＳＣＳＩ制御器２１及び第２のＤＭＡバス２２を順次介してハードデイスク１５に送出する。これによりＣＰＵ８は、ハードデイスク１５に記録されている所望のＡＶデータＤ１を順次パケツト単位毎に再生し、これを第２のＤＭＡバス２２、ＳＣＳＩ制御器２１及び第１のＤＭＡバス２０を順次介してバツフアメモリ１６に送出する。
【００２７】
ここでＣＰＵ８は、バツフアメモリ制御器１７を制御するバツフア制御信号Ｓ３５を第２の内部バス９を介して当該バツフアメモリ制御器１７に送出し、このバツフアメモリ制御器１７は、入力されたバツフア制御信号Ｓ３５に基づいて制御され、かくしてバツフアメモリ１６におけるＡＶデータＤ１の格納及び送出を制御するバツフアメモリ制御信号Ｓ３７をこのバツフアメモリ１６に送出する。これによりバツフアメモリ１６は、入力されたバツフアメモリ制御信号Ｓ３７に基づいてＡＶデータＤ１をパケツト単位毎に順次格納すると共に、当該格納したＡＶデータＤ１を所定のタイミングでパケツト単位毎に順次フオーマツト復元器３０に送出する。
【００２８】
この場合フオーマツト復元器３０には、ＡＶデータＤ１と共に、ＣＰＵ８から第２の内部バス９を介してデータフオーマツト復元制御信号Ｓ３９が入力されており、これによりフオーマツト復元器３０は、入力されたパケツト化されているＡＶデータＤ１をデータフオーマツト復元制御信号Ｓ３９に基づいて復元（すなわち、ＡＶデータＤ１をパケツト化する前のフオーマツトに戻す）してデコーダ３２に送出する。
【００２９】
デコーダ３２は、入力されたＡＶデータＤ１をアナログ化することによりＡＶ信号Ｓ４０を生成し、当該ＡＶ信号Ｓ４０を外部（所定の表示装置やスピーカ等）に送出すると共に、タイムコード抽出器３４に送出する。
タイムコード抽出器３４は、入力されたＡＶ信号Ｓ４０からこれに付加されているタイムコードを抽出し、これを抽出タイムコード信号Ｓ４２としてシステムコントローラ２に送出する。
かくしてこの復元装置１においては、ＡＶデータＤ１を再生する再生時、上述した一連の動作を順次繰り返すことにより、所望のＡＶデータＤ１を当該ＡＶデータＤ１に対応する映像及び又音声の視聴を開始したい位置から再生し得るように成されている。
【００３０】
ここで復元装置１では、ハードデイスク１５のＡＶデータ記録部１５Ｂに一度記録したＡＶデータＤ１を削除する場合、この削除対象のＡＶデータＤ１を当該ＡＶデータ記録領域１５Ｂに記録したままの状態で、これに対応するフアイルデータＤ２をハードデイスク１５のフアイルデータ記録領域１５Ａから削除するようになされている。
【００３１】
従つて図３との対応部分に同一符号を付した図４（Ａ）及び（Ｂ）に示すように、削除対象のＡＶデータＤ１を再生する場合にその第１の記録領域を指定するフアイルデータＤ２が削除されていることにより、ハードデイスク１５のＡＶデータ記録領域１５Ｂでは、当該削除対象のＡＶデータＤ１が記録されている第１の記録領域ＲＥ２が第２の記録領域となり、前後する第２の記録領域と連続する１つの第２の記録領域ＦＳ４が形成される（図４（Ａ））。しかしながらこのハードデイスク１５のＡＶデータ記録領域１５Ｂでは、削除対象のＡＶデータＤ１が記録されていることにより、当該削除対象のＡＶデータＤ１の第１の記録領域ＲＥ２を指定し得るフアイルデータＤ２を生成することにより、当該削除対象のＡＶデータＤ１を復元し得るようになされている。
【００３２】
ここで実際上、図１との対応部分に同一符号を付して示す図５に示すように、この復元装置１では、削除したＡＶデータＤ１を復元する復元処理時、ユーザがコントロールパネル４を操作するようにして復元処理モードを指定することにより、当該コントロールパネル４から復元処理モード信号Ｓ４４がシステムコントローラ２に送出される。これによりシステムコントローラ２は、入力された復元処理モード信号Ｓ４４に基づいて記録モード又は再生モードから復元処理モードに切り換わる。
この状態においてこの復元装置１では、ユーザがコントロールパネル４を操作するようにして、復元対象のＡＶデータＤ１に対応するフアイル名を指定することにより、当該コントロールパネル４からフアイル名を表すフアイル名信号Ｓ４５がシステムコントローラ２に送出される。
この場合システムコントローラ２は、入力されたフアイル名信号Ｓ４５が表すフアイル名を記録媒体に記録する。
【００３３】
これに加えてこの復元装置１では、ユーザがコントロールパネル４を操作するようにしてハードデイスク１５におけるＡＶデータ記録領域１５Ｂの第２の記録領域の再生を指定することにより、当該コントロールパネル４から再生指定信号Ｓ４６がシステムコントローラ２に送出される。
システムコントローラ２は、入力された再生指定信号Ｓ４６に基づいて、ＣＰＵ８を制御する再生開始信号Ｓ４７を第１の内部バス７を介して当該ＣＰＵ８に送出する。
【００３４】
これによりＣＰＵ８は、入力された再生開始信号Ｓ４７に基づいて制御され、ハードデイスク１５のＡＶデータ記録領域１５Ｂから第２の記録領域のみをその先頭の論理アドレスから順次再生するように当該第２の記録領域のセクタ単位毎の論理アドレスを論理アドレス信号Ｓ４８として第２の内部バス９、ＳＣＳＩ制御器２１及び第２のＤＭＡバス２２を順次介してハードデイスク１５に送出する。
【００３５】
これによりＣＰＵ８は、ハードデイスク１５のＡＶデータ記録領域１５Ｂの第２の記録領域をその先頭の論理アドレスから順次再生し、これを第２のＤＭＡバス２２、ＳＣＳＩ制御器２１及び第１のＤＭＡバス２０を順次介してバツフアメモリ１６に送出する。因みにハードデイスク１５のＡＶデータ記録領域１５Ｂからは、まず図４（Ａ）に示す第２の記録領域ＦＳ４がその先頭から再生され、この後ＡＶデータＤ１の第１の記録領域ＲＥ３を飛び越して第２の記録領域ＦＳ３がその先頭から再生される。
またＣＰＵ８は、ハードデイスク１５に送出した論理アドレス信号Ｓ４８をハードデイスク１５のＡＶデータ記録領域１５Ｂの第２の記録領域を再生するタイミングでシステムコントローラ２にも送出する。
【００３６】
このようにしてこの復元装置１では、ハードデイスク１５から再生した第２の記録領域のデータを上述したＡＶデータＤ１を再生する再生時と同様に処理してデコーダ３２に送出し、当該デコーダ３２は、入力された第２の記録領域のデータをアナログ化して外部に送出すると共に、タイムコード抽出器３４に送出する。
タイムコード抽出器３４は、入力された第２の記録領域のデータに応じた信号Ｓ４０がＡＶデータＤ１に応じたＡＶ信号の場合（タイムコードが付加されている）、当該ＡＶ信号からタイムコードを抽出し、これを抽出タイムコード信号Ｓ４２としてシステムコントローラ２に送出する。
【００３７】
この場合復元装置１は、デコーダ３２の出力側に所定の表示装置及びスピーカが接続されており、当該デコーダ３２から送出された信号Ｓ４０に対応する映像及び又音声（第２の記録領域に記録されているＡＶデータＤ１）を表示装置及びスピーカを介してユーザに視聴させる。
【００３８】
この状態において、この復元装置１では、ユーザが映像及び又は音声を視聴することによりその内容を確認するようにして、所望の映像及び又は音声の再生が開始されたとき、当該ユーザがコントロールパネル４を操作するようにして始点を指定する。このときシステムコントローラ２は、コントロールパネル４から始点が指定されたことを表す始点信号Ｓ５０が入力され、これによりこの始点信号Ｓ５０が入力されたとき（すなわち、ユーザが始点を指定したとき）の論理アドレスとタイムコードとを記録媒体に記録する。
【００３９】
この後この復元装置１では、再びユーザが所望の映像及び又は音声を視聴することによりその内容を確認するようにして、当該所望の映像及び又は音声の再生が終了したとき、当該ユーザがコントロールパネル４を操作するようにして終点を指定する。このときシステムコントローラ２は、コントロールパネル４から終点が指定されたことを表す終点信号Ｓ５１が入力され、これによりこの終点信号Ｓ５０が入力されたとき（すなわち、ユーザが終点を指定したとき）の論理アドレスとタイムコードとを記録媒体に記録する。
【００４０】
これによりシステムコントローラ２は、ユーザがコントロールパネル４を操作するようにしてＡＶデータＤ１の復元の実行を指定することにより当該コントロールパネル４から入力される復元実行信号Ｓ５３に基づいて、記録媒体から復元対象のＡＶデータＤ１に対応するフアイル名と、始点が指定されたときの論理アドレス及びタイムコードと、終点が指定されたときの論理アドレス及びタイムコードとを読み出し、これらをフアイルデータ生成情報信号Ｓ５５として第１の内部バス７を介してＣＰＵ８に送出する。
【００４１】
ＣＰＵ８は、入力されたフアイルデータ生成情報信号Ｓ５５に基づいて、始点が指定されてから終点が指定されるまでのＡＶデータＤ１を復元対象のＡＶデータＤ１とし、当該ＡＶデータＤ１を識別するフアイルデータＤ５を生成し、これをＣＰＵバス２５、ＲＡＭ２６、ＳＣＳＩ制御器２１及び第２のＤＭＡバス２２を順次介してハードデイスク１５に送出し、当該フアイルデータＤ５をハードデイスク１５のフアイルデータ記録領域１５Ａに記録し得るようになされている。かくしてこの復元装置１では、ハードデイスク１５においてＡＶデータ記録領域１５Ｂの第２の記録領域に記録されている復元対象のＡＶデータＤ１を、これを識別するフアイルデータＤ５を生成して当該バードデイスク１５のフアイルデータ記録領域１５Ａに記録することにより復元し得るようになされている。
【００４２】
以上の構成において、この復元装置１においてシステムコントローラ２は、ユーザがコントロールパネル４を操作して復元処理モードを指定することにより、図６に示すＡＶデータ復元処理手順ＲＴ１を開始してステツプＳＰ１からステツプＳＰ２に進み、当該ユーザがコントロールパネル４を操作して指定した、復元対象のＡＶデータＤ１に対応するフアイル名を記録する。
この後システムコントローラ２は、ステツプＳＰ３に進み、ユーザがコントロールパネル４を操作してハードデイスク１５におけるＡＶデータ記録領域１５Ｂの第２の記録領域の再生を指定することにより、ＣＰＵ８を制御して当該ハードデイスク１５におけるＡＶデータ記録領域１５Ｂの第２の記録領域を再生させる。
【００４３】
次いでシステムコントローラ２は、ステツプＳＰ４に進み、第２の記録領域から得られる映像及び又音声の内容を表示装置及びスピーカを介してユーザに視聴させ、これによりユーザに映像及び又は音声の内容を確認させて所望の映像及び又は音声を探させる。
続いてシステムコントローラ２は、ステツプＳＰ５に進み、ユーザが所望の映像及び又は音声を確認することによりコントロールパネル４を操作して当該所望の映像及び又は音声に対する始点と終点とを指定したか否かを判断し、否定結果を得るとステツプＳＰ４に戻り、この後ステツプＳＰ５において肯定結果が得られるまでステツプＳＰ４−ＳＰ５のループを繰り返す。
【００４４】
この後システムコントローラ２は、ステツプＳＰ５において肯定結果を得ると、続くステツプＳＰ６においてユーザがコントロールパネル４を操作して復元の実行を指定したか否かを判断し、否定結果を得るとこの後肯定結果が得られるまでこのステツプＳＰ６を繰り返す。
この後システムコントローラ２は、ステツプＳＰ６において肯定結果を得ると、続くステツプＳＰ７に進み、復元対象のＡＶデータＤ１に対応するフアイル名と、始点が指定されたときの論理アドレス及びタイムコードと、終点が指定されたときの論理アドレス及びタイムコードとをフアイルデータ生成情報信号Ｓ５５としてＣＰＵ８に送出し、当該ＣＰＵ８においてこのフアイル生成情報信号Ｓ５５に基づいてフアイルデータＤ５を生成させると共に、これをハードデイスク１５のフアイルデータ記録領域１５Ａに記録させることによりＡＶデータ記録領域１５Ｂの第２の記録領域に記録されている復元対象のＡＶデータＤ１を復元し、この後続くステツプＳＰ８に進みこのＡＶデータ復元処理手順ＲＴ１を終了する。
【００４５】
従つてこの復元装置１においては、ハードデイスク１５のＡＶデータ記録領域１５Ｂから再生した第２の記録領域のデータを表示装置及びスピーカを介してユーザに視聴させるようにしたことにより、復元対象のＡＶデータＤ１に応じた映像及び又は音声の内容をユーザに実際に確認させることができる。
【００４６】
またこの復元装置１では、ハードデイスク１５におけるＡＶデータ記録領域１５Ｂの第２の記録領域に復元対象のＡＶデータＤ１がその一部分に他のＡＶデータＤ１が上書きされるように記録されている場合でも、当該復元対象のＡＶデータＤ１の上書きされずに残つている部分をユーザが実際に視聴して確認し、この確認したＡＶデータＤ１の始点及び終点をユーザが指定することができる。
【００４７】
以上の構成によれば、ハードデイスク１５のＡＶデータ記録領域１５Ｂの第１及び第２の記録領域にそれぞれ記録されているＡＶデータＤ１を再生するＣＰＵ８と、当該ＣＰＵ８によつて再生されたＡＶデータＤ１をユーザに視聴させる表示装置及びスピーカと、ＣＰＵ８により再生されたＡＶデータＤ１の始点及び終点を入力するコントロールパネル４と、ハードデイスク１５のＡＶデータ記録領域１５Ｂの第２の記録領域をＣＰＵ８によつて再生させると共に、当該第２の記録領域に記録されているＡＶデータＤ１に応じた映像及び又は音声を表示装置及びスピーカによつてユーザに視聴させ、当該ユーザによつてコントロールパネル４を介して復元対象のＡＶデータＤ１の始点及び終点が指定されたときのそれぞれ論理アドレス及びタイムコードと、フアイル名とに基づいて当該復元対象のＡＶデータＤ１を識別するフアイルデータＤ５を生成し、これをハードデイスク１５のフアイルデータ記録領域１５Ａに記録するシステムコントローラ２とを設けるようにしたことにより、復元対象のＡＶデータＤ１に応じた映像及び又は音声の内容をユーザに実際に確認させたうえで当該ユーザに復元対象のＡＶデータＤ１の始点及び終点を指定させることができ、かくして削除されたフアイルデータに対応する復元対象のデータを確実に復元し得る復元装置を実現することができる。
【００４８】
またハードデイスク１５のＡＶデータ記録領域１５Ｂの第２の記録領域を再生し、次いで第２の記録領域に記録されているＡＶデータＤ１に応じた映像及び又は音声をユーザに視聴させ、当該ユーザによつて復元対象のＡＶデータＤ１の始点及び終点が指定されたときのそれぞれ論理アドレス及びタイムコードと、フアイル名とに基づいて当該復元対象のＡＶデータＤ１を識別するフアイルデータＤ５を生成し、これをハードデイスク１５のフアイルデータ記録領域１５Ａに記録するようにしたことにより、復元対象のＡＶデータＤ１に応じた映像及び又は音声の内容をユーザに実際に確認させたうえで当該ユーザに復元対象のＡＶデータＤ１の始点及び終点を指定させることができ、かくして削除されたフアイルデータに対応する復元対象のデータを確実に復元し得る復元方法を実現することができる。
【００４９】
なお上述の実施例においては、ＡＶデータＤ１と、当該ＡＶデータＤ１をそれぞれ識別するフアイルデータＤ２及びＤ５とを記録する記録媒体としてハードデイスク１５を適用するようにした場合について述べたが、本発明はこれに限らず、デイスク状記録媒体やメモリ等のようにこの他種々の記録媒体を適用するようにしても良い。
【００５０】
また上述の実施例においては、復元処理モード時、ＣＰＵ８が第２の記録領域のセクタ単位毎の論理アドレスに基づいてハードデイスク１５から第２の記録領域をその先頭の論理アドレスから順次再生するようにした場合について述べたが、本発明はこれに限らず、ＣＰＵ８が例えば第２の記録領域を所定数間隔のセクタ毎の論理アドレスに基づいてハードデイスク１５から第２の記録領域をその先頭の論理アドレスから順次再生するようにし、当該第２の記録領域の再生速度を標準の再生速度よりも速い速度で再生するようにしても良い。これにより復元装置１においては、復元対象のＡＶデータＤ１の復元処理を短時間で行うことができ、かくして復元処理の効率を向上することができる。
【００５１】
これに加えてＡＶデータＤ１の再生速度を標準再生速度よりも遅い速度で再生するようにして、当該ＡＶデータＤ１に対応する映像及び又は音声をスロー再生したり、又は静止させるようにしても良い。これにより復元対象のＡＶデータＤ１の始点及び終点をより確実に指定することができる。
【００５２】
さらに上述の実施例においては、記録媒体１５に記録された各データＤ１を再生する再生手段としてＣＰＵ８を適用するようにした場合について述べたが、本発明はこれに限らず、記録媒体１５に記録された各データＤ１を再生することができれば、この他種々の再生手段を適用するようにしても良い。
【００５３】
さらに上述の実施例においては、再生手段８により再生されたデータＤ１を視覚的及び又は聴覚的に認識させる視聴手段として表示装置及びスピーカを適用するようにした場合について述べたが、本発明はこれに限らず、再生手段８によつて再生されたデータＤ１を視覚的及び又は聴覚的に認識させることができれば、この他種々の視聴手段を適用するようにしても良い。
【００５４】
さらに上述の実施例においては、再生手段８により再生された所望のデータＤ１の始点及び終点を入力する入力手段としてコントロールパネル４を適用するようにした場合について述べたが、本発明はこれに限らず、再生手段８により再生された所望のデータＤ１の始点及び終点を入力することができれば、ユーザインターフエイス等のようにこの他種々の入力手段を適用するようにしても良い。
【００５５】
さらに上述の実施例においては、記録媒体１５のフアイルデータＤ２に対応するデータＤ１が記録されている第１の記録領域以外の第２の記録領域を再生手段８によつて再生させ、第２の記録領域の再生時に入力手段４を介して、削除されたフアイルデータＤ２に対応するデータＤ１の始点及び終点が指定されたときに、始点から終点までのデータを削除されたフアイルデータＤ２に対応するデータＤ１の復元データとして当該復元データを識別する新たなフアイルデータＤ５を生成し、当該新たなフアイルデータＤ５を記録媒体１５に記録する制御手段として、システムコントローラ２を適用するようにした場合について述べたが、本発明はこれに限らず、記録媒体１５の第２の記録領域を再生手段８によつて再生させ、当該第２の記録領域の再生時に入力手段４を介して、削除されたフアイルデータＤ２に対応するデータＤ１の始点及び終点が指定されたときに、始点から終点までのデータを削除されたフアイルデータＤ２に対応するデータＤ１の復元データとして当該復元データを識別する新たなフアイルデータＤ５を生成し、これを記録媒体１５に記録することができれば、この他種々の制御手段を適用するようにしても良い。
【００５６】
【発明の効果】
上述のように本発明によれば、映像・音声復元装置において、記録媒体に記録された各映像・音声データを再生する再生手段と、当該再生手段により再生された映像・音声データを視覚的及び又は聴覚的に認識させる視聴手段と、当該試聴手段により認識させた映像・音声データの中で、所望の当該映像・音声データの始点及び終点を入力させるために用いられる入力手段と、記録媒体のフアイルデータに対応する映像・音声データが記録されている第１の記録領域以外の第２の記録領域を再生手段によつて再生させ、当該第２の記録領域の再生時に入力手段を介して、削除されたフアイルデータに対応する映像・音声データの始点及び終点が指定されたときに、当該始点から終点までの映像・音声データを削除されたフアイルデータに対応する映像・音声データの復元データとして当該復元データを識別する新たなフアイルデータを生成し、当該新たなフアイルデータを記録媒体に記録する制御手段とを設けるようにしたことにより、復元対象の映像・音声データの内容を実際にユーザに視聴させて確認させたうえで当該ユーザに復元対象の映像・音声データの始点と終点とを指定させることができ、かくして削除されたフアイルデータに対応する映像・音声データを確実に復元し得る復元装置を実現することができる。
【００５７】
また映像・音声復元方法において、記録媒体のフアイルデータに対応する映像・音声データが記録されている第１の記録領域以外の第２の記録領域を再生して、当該第２の記録領域から再生した映像・音声データを視覚的及び又は聴覚的に認識させ、次いで第２の記録領域の再生により認識させた映像・音声データの中で、削除されたフアイルデータに対応する映像・音声データの始点及び終点が指定されたときに、当該始点から終点までの映像・音声データを削除されたフアイルデータに対応する映像・音声データの復元データとして当該復元データを識別する新たなフアイルデータを生成し、当該新たなフアイルデータを記録媒体に記録するようにしたことにより、復元対象の映像・音声データの内容を実際にユーザに視聴させて確認させたうえで当該ユーザに復元対象の映像・音声データの始点と終点とを指定させることができ、かくして削除されたフアイルデータに対応する映像・音声データを確実に復元し得る復元方法を実現することができる。
【図面の簡単な説明】
【図１】本発明の復元装置の一実施例を示すブロツク図である。
【図２】ハードデイスクの構成を示す略線図である。
【図３】ハードデイスクのＡＶデータ記録領域におけるＡＶデータの記録の説明に供する略線図である。
【図４】ハードデイスクのＡＶデータ記録領域におけるＡＶデータの復元の説明に供する略線図である。
【図５】ＡＶデータの復元処理の説明に供するブロツク図である。
【図６】ＡＶデータ復元処理手順を示すフローチヤートである。
【符号の説明】
１……復元装置、２……システムコントローラ、４……コントロールパネル、８……ＣＰＵ、１５……ハードデイスク、１５Ａ……フアイルデータ記録領域、１５Ｂ……ＡＶデータ記録領域。
【図１】
0003991288.tif 000002
【図２】
0003991288.tif 000003
【図３】
0003991288.tif 000004
【図４】
0003991288.tif 000005
【図５】
0003991288.tif 000006
【図６】
0003991288.tif 000007